(57)【要約】【課題】フィルタに溜まったゴミをユーザにとって手間をかけずに除去することができる空気清浄機を提供する。【解決手段】空気清浄機は、空気通過口３を有する本体１と、空気通過口３を覆うように配置されたフィルタ７と、フィルタ７の外周の少なくとも一部に沿うように配置された第１軌道１１と、第１軌道１１に支持され、第１軌道１１に沿って第１方向９１に平行移動する第１移動体１２と、第１移動体１２に支持され、第１方向９１とは異なる第２方向９２に平行移動する第２移動体１３と、第２移動体１３に支持され、フィルタ７に当接する清掃具１４とを備える。【選択図】図２
2018054270.tif 000002
【特許請求の範囲】
【請求項１】
空気通過口を有する本体と、
前記空気通過口を覆うように配置されたフィルタと、
前記フィルタの外周の少なくとも一部に沿うように配置された第１軌道と、
前記第１軌道に支持され、前記第１軌道に沿って第１方向に平行移動する第１移動体と、
前記第１移動体に支持され、前記第１方向とは異なる第２方向に平行移動する第２移動体と、
前記第２移動体に支持され、前記フィルタに当接する清掃具とを備える、空気清浄機。
【請求項２】
前記清掃具が前記フィルタに当接する箇所において前記フィルタから分離したゴミを吸引するダクトを備える、請求項１に記載の空気清浄機。
【請求項３】
前記ダクトによって導かれた前記ゴミを貯めるゴミ受けを備える、請求項２に記載の空気清浄機。
【請求項４】
前記フィルタはメッシュ構造となっており、前記メッシュ構造の個々の開口は、前記清掃具が前記フィルタを擦過する方向である擦過方向に沿った長さが、前記擦過方向に垂直な方向に沿った長さより大きい、請求項１から３のいずれかに記載の空気清浄機。
【請求項５】
前記本体に接続する前板支持部と、
前記前板支持部に支持されて前記フィルタを覆うように配置された前板とを備え、
前記第１軌道は、前記前板に支持されており、
前記前板支持部は、前記本体に対する前記前板の相対的な姿勢を変化させることができる、請求項１から４のいずれかに記載の空気清浄機。
【請求項６】
前記前板支持部は、複数の前板支持脚を含み、前記複数の前板支持脚は、第１脚および第２脚を含み、前記第１脚と前記第２脚とはそれぞれ別箇に前記本体から突出する長さを調整可能である、請求項５に記載の空気清浄機。
【発明の詳細な説明】
【技術分野】
【０００１】
本発明は、空気清浄機に関するものである。
【背景技術】
【０００２】
空気清浄機の一例が特開２０１６−２２４０５号公報（特許文献１）に記載されている。
【先行技術文献】
【特許文献】
【０００３】
【特許文献１】特開２０１６−２２４０５号公報
【発明の概要】
【発明が解決しようとする課題】
【０００４】
空気清浄機は、通常、吸込み口を備える。吸込み口にはフィルタが設置される。取り込まれる空気中のゴミはフィルタによって捕集され、フィルタ上に溜まる。フィルタに溜まったゴミは人の手や掃除機で除去することが一般的であるが、ユーザにとって手間がかかる。
【０００５】
そこで、本発明は、フィルタに溜まったゴミをユーザにとって手間をかけずに除去することができる空気清浄機を提供することを目的とする。
【課題を解決するための手段】
【０００６】
上記目的を達成するため、本発明に基づく空気清浄機は、空気通過口を有する本体と、上記空気通過口を覆うように配置されたフィルタと、上記フィルタの外周の少なくとも一部に沿うように配置された第１軌道と、上記第１軌道に支持され、上記第１軌道に沿って第１方向に平行移動する第１移動体と、上記第１移動体に直接または間接的に支持され、上記フィルタに当接する清掃具とを備える。
【発明の効果】
【０００７】
本発明によれば、フィルタに溜まったゴミをユーザにとって手間をかけずに除去することができる。
【図面の簡単な説明】
【０００８】
【図１】本発明に基づく実施の形態１における空気清浄機の斜視図である。
【図２】本発明に基づく実施の形態１における空気清浄機から前板を取り外した状態の斜視図である。
【図３】本発明に基づく実施の形態１における空気清浄機に備わる第２移動体およびこれに付随するものを取り出してフィルタ側から見た正面図である。
【図４】本発明に基づく実施の形態１における空気清浄機に備わる第２移動体およびこれに付随するものを取り出したところの断面図である。
【図５】本発明に基づく実施の形態１，２における空気清浄機でフィルタの清掃が行なわれている様子の部分斜視図である。
【図６】本発明に基づく実施の形態２における空気清浄機に備わるフィルタの拡大図である。
【図７】本発明に基づく実施の形態２における空気清浄機に備わるフィルタの変形例の拡大図である。
【図８】本発明に基づく実施の形態３における空気清浄機に備わる第２移動体とその近傍の斜視図である。
【図９】本発明に基づく実施の形態３における空気清浄機の変形例に備わる第２移動体とその近傍の斜視図である。
【図１０】本発明に基づく実施の形態４における空気清浄機の概念図である。
【図１１】本発明に基づく実施の形態５における空気清浄機の斜視図である。
【図１２】本発明に基づく実施の形態５における空気清浄機の第１の状態の説明図である。
【図１３】本発明に基づく実施の形態５における空気清浄機の第２の状態の説明図である。
【発明を実施するための形態】
【０００９】
（実施の形態１）
（構成）
図１〜図５を参照して、本発明に基づく実施の形態１における空気清浄機について説明する。本実施の形態における空気清浄機１０１の外観を図１に示す。空気清浄機１０１は、本体１と、本体１の正面側に取り付けられた前板２とを備える。前板２は、化粧板であってよい。本体１と前板２との間には間隙５が設けられている。空気清浄機１０１は、前板２の背後に空気通過口３を有する。空気通過口３は、空気の吸込み口であってもよい。空気通過口３にはフィルタ７が設置されている。前板２は支持部１７によって支持されている。図１に示した例では、４つの支持部１７によって１つの前板２が支持されているが、支持部１７の数は４に限らず他の数であってもよい。
【００１０】
空気清浄機１０１から前板２を取り外した状態を図２に示す。前板２を取り外したことにより、フィルタ７の大部分が見える状態となっている。図２で示す例では、第１方向９１は上下方向に一致しており、第２方向９２は左右方向に一致している。これはあくまで一例であり、第１方向９１および第２方向９２は、ここで示した例とは異なる方向であってもよい。
【００１１】
空気清浄機１０１は、空気通過口３を有する本体１と、空気通過口３を覆うように配置されたフィルタ７と、フィルタ７の外周の少なくとも一部に沿うように配置された第１軌道１１と、第１軌道１１に支持され、第１軌道１１に沿って第１方向９１に平行移動する第１移動体１２と、第１移動体１２に支持され、第１方向９１とは異なる第２方向９２に平行移動する第２移動体１３と、第２移動体１３に支持され、フィルタ７に当接する清掃具１４とを備える。清掃具１４はブラシであってもよい。清掃具１４はブラシ以外の部材であってもよい。清掃具１４は、フィルタに当接させた状態でフィルタに対して相対的に移動させることによってフィルタに付着していたゴミをフィルタから離脱させることができるような部材であればよく、ブラシに限らない。
【００１２】
ここで示す例では、第１軌道１１は、空気通過口３の左右両側において平行に配置されており、それぞれ上下方向に延在している。ここで示す例では、第１移動体１２は、第２方向９２に直線状に延在する中間部分１２ａと、中間部分１２ａの両端から折れ曲がるようにして延在し、左右両側の２つの第１軌道１１にそれぞれ係合する脚部分１２ｂとを含む。第２移動体１３は、第１移動体１２の中間部分１２ａに支持されている。
【００１３】
第２移動体１３およびこれに付随するものを取り出してフィルタ７側から見たところを図３に示す。空気清浄機１０１は、第２移動体１３に支持され、フィルタ７に当接する清掃具１４と、清掃具１４がフィルタ７に当接する箇所においてフィルタ７から分離したゴミを吸引するダクト１５とを備える。第２移動体１３、ダクト１５およびこれらに付随するものの断面図を図４に示す。第２移動体１３がフィルタ７に押し当てられ、フィルタ７の清掃が行なわれている様子を図５に示す。
【００１４】
（作用・効果）
本実施の形態では、空気清浄機１０１に、第１移動体１２と第２移動体１３とが備えられ、第２移動体１３に清掃具１４が支持されていることによって、清掃具１４はフィルタ７に当接した状態で第１方向９１にも第２方向９２にも移動することができる。すなわち、清掃具１４は２次元の動きをすることができる。したがって、清掃具１４が２次元に移動してフィルタ７の表面をスキャンすることができるので、フィルタ７に溜まったゴミをユーザにとって手間をかけずに除去することができる。
【００１５】
前板２は着脱自在に取り付けられていることが好ましい。前板２を適宜取り外すことができる構造であれば、第２移動体１３、清掃具１４などに不具合が生じたときに、ユーザは前板２を取り外すことによって状況を容易に確認することができる。
【００１６】
本実施の形態で示したように、清掃具１４がフィルタ７に当接する箇所においてフィルタ７から分離したゴミを吸引するダクト１５を備えることが好ましい。この構成を採用することにより、ゴミを清掃具１４から遠く離れた箇所へと円滑に移送することができる。ダクト１５を経由したゴミの吸引は、掃除機と同様の公知技術により実現することができる。
【００１７】
本実施の形態で示したように、ダクト１５によって導かれたゴミを貯めるゴミ受け１６を備えることが好ましい。この構成を採用することにより、ゴミ受け１６にゴミを貯めることができ、ユーザにとってはゴミの排出が容易になる。
【００１８】
（実施の形態２）
（構成）
図５〜図６を参照して、本発明に基づく実施の形態２における空気清浄機について説明する。本実施の形態における空気清浄機の基本的な構成は、実施の形態１で説明したものと同様である。本実施の形態における空気清浄機では、実施の形態１における空気清浄機１０１に比べて以下の点が異なる。
【００１９】
本実施の形態における空気清浄機について、実施の形態１で参照した図５を再び参照して説明する。この空気清浄機は、第２移動体１３を備える。第２移動体１３は、第１移動体１２に支持されつつ第２方向９２に平行移動する。第２移動体１３には清掃具１４が配置されている。第２移動体１３の動きによって、清掃具１４は擦過方向９３に沿ってフィルタ７を擦過することとなる。ここで示す例では、擦過方向９３は第２方向９２に一致しているが、擦過方向９３は第２方向９２とは異なっていてもよい。フィルタ７の微細構造を拡大したところを図６に示す。ここで示す例では、フィルタ７は、縦と横との繊維によって編まれた網状の構造であり、個々の開口は長方形となっている。開口の横方向の長さはＡ、縦方向の長さはＢとなっている。
【００２０】
本実施の形態における空気清浄機では、フィルタ７はメッシュ構造となっている。メッシュ構造の個々の開口は、清掃具１４がフィルタ７を擦過する方向である擦過方向９３に沿った長さＡが、擦過方向９３に垂直な方向に沿った長さＢより大きい。
【００２１】
（作用・効果）
本実施の形態においても、実施の形態１で説明したのと同様の効果を得ることができる。さらに本実施の形態では、メッシュ構造の開口は、長さＡの方が長さＢより大きい構成となっているので、清掃具１４が擦過方向９３に沿ってフィルタ７を擦過する際にゴミが取れやすく、効率良く清掃を行なうことができる。
【００２２】
ここでは、フィルタの個々の開口が長方形となっている例を示して説明したが、個々の開口は長方形以外の形状であってもよい。たとえば図７に示すように、個々の開口が菱形であってもよい。この場合も、清掃具１４の擦過方向９３に沿った長さＡが、擦過方向９３に垂直な方向に沿った長さＢより大きくなっていればよい。
【００２３】
本実施の形態では、擦過方向９３が横方向である場合を例にとって説明したが、擦過方向９３は横方向とは限らず他の方向であってもよい。擦過方向は上下方向となっていてもよく、斜め方向となっていてもよい。いずれの場合にも、擦過方向を基準として、擦過方向に沿った長さＡと、擦過方向に垂直な方向に沿った長さＢとを把握することができ、長さＡが長さＢより大きければ同様の効果を得ることができる。
【００２４】
ここでは、実施の形態１で示したように清掃具１４が２次元の動きをすることができる場合の清掃具１４のフィルタ７に対する擦過方向９３に注目して説明したが、清掃具が１次元の動きのみをすることによってフィルタの清掃を完了するような空気清浄機においても、擦過方向を基準として、擦過方向に沿った長さＡと、擦過方向に垂直な方向に沿った長さＢとを把握することができ、長さＡが長さＢより大きければ同様の効果を得ることができる。
【００２５】
（実施の形態３）
（構成）
図８を参照して、本発明に基づく実施の形態３における空気清浄機について説明する。本実施の形態における空気清浄機の基本的な構成は、実施の形態１で説明したものと同様である。本実施の形態における空気清浄機では、実施の形態１における空気清浄機１０１に比べて以下の点が異なる。
【００２６】
本実施の形態における空気清浄機の第２移動体１３近傍をフィルタ７の側から見たところを図８に示す。本実施の形態では、清掃具１４に代えて清掃具１４ｉが備わっている。清掃具１４ｉは回転ブラシである。
【００２７】
図８に示した例では、第２移動体１３は吸込口１３ａを有している。清掃具１４ｉは、吸込口１３ａの中に吸込口１３ａを横切るように配置されている。第２移動体１３は第１移動体１２によって支持され、第２方向９２に平行移動する。第２移動体１３にはダクト１５がつながっている。
【００２８】
（作用・効果）
本実施の形態においても、実施の形態１で説明したのと同様の効果を得ることができる。さらに本実施の形態で示したように清掃具１４ｉとして回転ブラシが備わっている場合には、この回転ブラシは、モータなどによって自発的に回転する構造であることが好ましい。清掃具１４ｉは、フィルタ７の一方の端から他方の端まで届く程度の長さであってもよく、より短いものであってもよい。前者である場合には、清掃具１４ｉは一方向にスキャンするだけでフィルタ７の全面を清掃することができる。後者である場合には、第２移動体１３をコンパクトにすることができる。この場合には、清掃具１４ｉは２次元のスキャンをすることによりフィルタ７の全面を清掃することができる。
【００２９】
図８では、ダクト１５がある例を示したが、ダクト１５はあるとは限らない。図９に示すように、第２移動体１３にゴミ受け１６ｉが取り付けられていてもよい。この場合、ゴミ受け１６ｉは第２移動体１３に対して着脱自在となっていることが好ましい。
【００３０】
ここまでの各実施の形態では、空気清浄機が本体の前側に前板を備えている構成を例にとって説明してきたが前板の存在は必須ではない。前板がない構成であっても、本発明は適用することができる。フィルタを覆うように前板を設けておくことによって、第１移動体、または、第１移動体および第２移動体を前板で隠すことができるので、装置全体の外観をすっきりさせることができる。
【００３１】
（実施の形態４）
（構成）
図１０を参照して、本発明に基づく実施の形態４における空気清浄機について説明する。本実施の形態における空気清浄機１０２の基本的な構成は、実施の形態１で説明したものと同様である。本実施の形態における空気清浄機１０２では、実施の形態１における空気清浄機１０１に比べて以下の点が異なる。
【００３２】
本実施の形態における空気清浄機１０２においては、本体１に接続する前板支持部１７と、前板支持部１７に支持されてフィルタ７を覆うように配置された前板２とを備える。第１軌道は、前板２に支持されている。本実施の形態では、第１軌道は、図１０では上下２つの前板支持部１７の陰に隠れて見えていない。本実施の形態では、第１軌道は、上下２つの前板支持部１７の陰で紙面奥手前方向に延在するように配置されている。第１方向は紙面奥手前方向である。図１０では第１移動体１２が示されているが、第１移動体１２は上下方向に延在する棒状の部材であり、第１方向すなわち紙面奥手前方向に移動することができる。
【００３３】
第２移動体１３は、清掃具１４ｉとして回転ブラシを備える。回転ブラシの長手方向は、フィルタ７の紙面奥手前方向の長さに比べて小さくてもよい。第１移動体１２の位置を第１方向に沿って一定量ずつずらしながら第２方向９２の移動を毎回行なうことにより、フィルタ７の全面を回転ブラシで清掃することができる。
【００３４】
空気清浄機１０２においては、前板支持部１７は、本体１に対する前板２の相対的な姿勢を変化させることができる。前板支持部１７は距離調整部１８の働きにより前後方向９４に移動しうる。距離調整部１８はたとえば歯車を含む。本実施の形態では、「本体１に対する前板２の相対的な姿勢」の「変化」とは、本体１に対する前板２の距離の変化を含む。空気清浄機１０２においては、距離調整部１８の働きによりたとえば上下の前板支持部１７が同じ長さだけ前後方向９４に変位することにより、本体１に対する前板２の距離を変化させることができる。
【００３５】
（作用・効果）
本実施の形態においても、実施の形態１で説明したのと同様の効果を得ることができる。さらに本実施の形態では、前板支持部１７は、本体１に対する前板２の相対的な姿勢を変化させることができる。これにより、本体１に対する前板２の相対的な姿勢の変化によって清掃具１４ｉのフィルタ７に対する当接度合が変化しうる。本実施の形態によれば、たとえばフィルタ７に対して清掃具１４ｉを強く押し当てる状態と弱く押し当てる状態を切り替えることができるので、念入りな清掃と簡易な清掃とを選択的に切り替えて行なうことができる。
【００３６】
（実施の形態５）
（構成）
図１１〜図１３を参照して、本発明に基づく実施の形態５における空気清浄機について説明する。本実施の形態における空気清浄機１０３の外観を図１１に示す。空気清浄機１０３の基本的な構成は、実施の形態４で説明したものと同様である。本実施の形態における空気清浄機１０３では、実施の形態４における空気清浄機１０２に比べて以下の点が異なる。
【００３７】
空気清浄機１０３は前板２ｅを備える。前板２ｅは平坦な板状ではない。前板２ｅは、少なくとも一部が湾曲している。第１移動体１２ｅも同様に少なくとも一部が湾曲している。ここで示す例では、前板２ｅの上部は平坦であって下部は湾曲している。第１移動体１２ｅも同様である。
【００３８】
前板支持部は、複数の前板支持脚１７ａ，１７ｂを含む。複数の前板支持脚１７ａ，１７ｂは、第１脚および第２脚を含む。第１脚と第２脚とはそれぞれ別箇に本体１から突出する長さを調整可能である。図１２に示した例では、たとえば前板支持脚１７ａが第１脚に相当し、前板支持脚１７ｂが第２脚に相当する。第１脚および第２脚の数は１つずつとは限らず、一方または両方が複数であってもよい。たとえば図１２に示した例においても、図１２に見えている前板支持脚は２つのように見えるが、紙面奥側にはさらに２つの前板支持脚があり、合計４つの前板支持脚がある。その場合、第１脚は２つの前板支持脚であり、第２脚も２つの前板支持脚であってもよい。
【００３９】
第２移動体１３ｊは清掃具１４ｉを保持する。第２移動体１３ｊにはゴミ受け１６ｊが着脱自在に取り付けられている。前板支持脚１７ａと前板２ｅとの接続箇所には回動点１９ａが設けられているので、前板支持脚１７ａは前板２ｅに対して回動することができる。前板支持脚１７ｂと前板２ｅとの接続箇所には回動点１９ｂが設けられているので、前板支持脚１７ｂは前板２ｅに対して回動することができる。
【００４０】
図１２では、第２移動体１３ｊが前板２ｅの上部に位置しており、かつ、清掃具１４ｉがフィルタ７に当接している。第２移動体１３ｊは第１移動体１２ｅに沿って第２方向９２に移動することができる。したがって、第２移動体１３ｊは前板２ｅの上部のみならず下部に位置することもありうる。
【００４１】
第２移動体１３ｊが前板２ｅの下部に位置するときには、図１３に示すようになる。この状態においても、清掃具１４ｉがフィルタ７に当接している。図１３における「本体１に対する前板２ｅの相対的な姿勢」は、図１２における「本体１に対する前板２ｅの相対的な姿勢」に比べて異なる。前板２ｅの上部の平坦な部分は、図１２においては鉛直方向に沿って位置していたが、図１３においては前板２ｅの上部の平坦な部分は鉛直方向から傾斜している。
【００４２】
（作用・効果）
本実施の形態においても、実施の形態１で説明したのと同様の効果を得ることができる。さらに本実施の形態では、第１脚と第２脚とはそれぞれ別箇に本体１から突出する長さを調整可能であるので、「本体１に対する前板２ｅの相対的な姿勢」としては、本体１からの距離だけでなく本体１に対する角度も変化させることができる。これにより、前板２ｅの少なくとも一部が湾曲しているなど前板２ｅが平坦でない構造の場合にも、清掃具１４ｉのフィルタ７に対する当接度合を適宜調節することによって一定の当接度合を維持することができる。本実施の形態では、前板２ｅの下部だけが湾曲している構成を例にとって説明したが、前板の下部以外の部分が部分的に湾曲している場合にも同様に対応することができる。前板の全体が湾曲している場合にも同様に対応することができる。前板が湾曲以外の形状を含んでいる場合にも同様である。
【００４３】
実施の形態４，５では、空気清浄機を正面から見たときに左右方向に延在するように第１軌道があり、この第１軌道によって左右方向に移動可能な物として第１移動体１２，１２ｅがあり、第１移動体に支持されて上下方向に移動可能な物として第２移動体１３，１３ｊがあるものとしたが、このような構成であれば、清掃具１４ｉはフィルタ７の面に沿って２次元に移動することができる。このように２次元の動きをする構成に限らず、たとえば実施の形態４，５における空気清浄機においても、清掃具が１次元の動きのみをする構成であってもよい。その場合には、たとえば清掃具がフィルタ７の上下方向の寸法以上の長さを有するものとして、この清掃具を左右方向に移動させることとすればよい。あるいは、清掃具がフィルタ７の左右方向の寸法以上の長さを有するものとして、この清掃具を上下方向に移動させることとすればよい。このようにすれば清掃具が１次元の動きをするだけでフィルタ７の全面を清掃することができる。その場合にも、実施の形態４，５で説明したような前板支持脚１７，１７ａ，１７ｂの構造を適用可能である。
【００４４】
ここまでの各実施の形態では、空気清浄機は、床に置いて使用する方式のものであるものとして説明してきたが、これはあくまで一例であり、空気清浄機は、壁に掛けて使用する方式のものであってもよい。空気清浄機は、下部に脚、車輪などを備えていてもよい。
【００４５】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００４６】
１  本体、２，２ｅ  前板、３  空気通過口、７  フィルタ、１１，１１ｉ  第１軌道、１２，１２ｅ  第１移動体、１２ａ  中間部分、１２ｂ  脚部分、１３，１３ｊ  第２移動体、１３ａ  吸込口、１４，１４ｉ  清掃具、１５  ダクト、１６，１６ｉ，１６ｊ  ゴミ受け、１７，１７ａ，１７ｂ  前板支持部、１８，１８ａ，１８ｂ  距離調整部、１９ａ，１９ｂ  回動点、９１  第１方向、９２  第２方向、９３  擦過方向、９４  前後方向、１０１，１０２，１０３  空気清浄機。
【図１】
2018054270.tif 000003
【図２】
2018054270.tif 000004
【図３】
2018054270.tif 000005
【図４】
2018054270.tif 000006
【図５】
2018054270.tif 000007
【図６】
2018054270.tif 000008
【図７】
2018054270.tif 000009
【図８】
2018054270.tif 000010
【図９】
2018054270.tif 000011
【図１０】
2018054270.tif 000012
【図１１】
2018054270.tif 000013
【図１２】
2018054270.tif 000014
【図１３】
2018054270.tif 000015